(57)【特許請求の範囲】
【請求項１】
周波数ゆらぎのない第１のクロックを回路間で共通に使用するために該第１のクロックを伝送するクロック伝送装置を備えている画像形成装置において、
前記第１のクロックを発振するクロック発振回路と、第１のデバイスと、第２のデバイスとを備え、
前記クロック伝送装置は、
送信側に設けられ、分周比可変の分周回路と、
前記第１のクロックを前記分周回路で分周して得られた第２のクロックを伝送するクロック伝送路と、
前記分周回路での分周比の情報を伝送する分周比情報伝送路と、
受信側に設けられ、前記クロック伝送路からの第２のクロックを、前記分周比情報伝送路からの分周比の情報を用いて、前記第１のクロックに復元する逓倍回路とを含み、
前記クロック発信回路からのクロック伝送線路の長さが相対的に短い前記第１のデバイスには前記クロック発振回路にて発振された第１のクロックが入力される一方、前記クロック発信回路からのクロック伝送線路の長さが相対的に長い前記第２のデバイスには前記逓倍回路にて復元された第１のクロックが入力されることを特徴とする画像形成装置。
【請求項２】
前記分周比は、２の階乗単位で設定されることを特徴とする請求項１記載の画像形成装置。
【請求項３】
前記分周回路および逓倍回路における分周器は、前記２の階乗単位の分周比に段階的に切換え可能に構成されることを特徴とする請求項２記載の画像形成装置。
【請求項４】
搭載機器の非動作中に、前記分周回路の分周比を変化する分周比設定回路をさらに備えることを特徴とする請求項１〜３の何れか１項に記載の画像形成装置。
【請求項５】
複数の回路へ前記第１のクロックを伝送するにあたって、受信側回路を１または複数でグループ化し、
送信側の分周回路は、各グループ毎に相互に異なる分周比の第２のクロックを送信することを特徴とする請求項１〜４の何れか１項に記載の画像形成装置。
【発明の詳細な説明】
【０００１】
【発明の属する技術分野】
本発明は、回路間で共通に使用するためにクロックを伝送する装置に対するＥＭＩ対策に関し、特にそのクロックには周波数ゆらぎの許されないものに関し、さらにそのような周波数ゆらぎの許されないクロックを使用する画像形成装置に関する。
【０００２】
【従来の技術】
近年、水晶発振器等で発生されるクロックの周波数が高くなり、ＥＭＩ（Electromagnetic Interference）の対策が必要になっている。そして、ＥＭＩノイズは、回路基板等に対してはシールド板等で或る程度の対策が可能であるが、相互に離間した回路間で共通のクロックを使用するためにクロック伝送線路を引回した場合には、シールド筐体の隙間からの漏れなどによって、充分に対策することは容易ではない。
【０００３】
特に、たとえば複写機やファクシミリ装置等の画像形成装置では、原稿画像を読取るＣＣＤの基準クロックは、構造的に複数の基板間にまたがって配置される場合が多く、周波数自体も比較的高いものとなるため、ＥＭＩとして問題となるケースが頻発している。
【０００４】
一方、ＥＭＩノイズレベルは、アンテナで受信した電磁波を各周波数成分毎に所定時間積分した値であり、そこで従来からのＥＭＩ対策では、クロックの周波数を常に変動させておくことで、特定の周波数の輻射ノイズを抑制するというスペクトラム拡散の手法が用いられている。前記スペクトラム拡散によるＥＭＩ対策は、たとえばＵＳＰ．５，４８８，６２７号で示されている。
【０００５】
しかしながら、このような従来技術は、マイクロプロッセッサ等のクロック周波数に或る程度のゆらぎが許容されるような回路には適用することができるけれども、前記画像形成装置では、周波数ゆらぎが許容されず、適用することができないという問題がある。
【０００６】
すなわち、たとえば読取りにあたってクロック周波数が変化すると、読取った領域毎に電荷の蓄積時間が異なり、濃度むらが生じてしまう。また、ポリゴンミラーと前記ＣＣＤとの間などのように、タイミングを厳密に一致させなければ、形成画像に歪みやむらが生じてしまう。
【０００７】
そこで、このような問題を解決する他の従来技術では、送信側で伝送すべきクロックを分周し、受信側で逓倍してクロックを復元することで、前記クロック伝送線路におけるクロック周波数を低下し、ＥＭＩノイズレベルを抑制することが提案されている。
【０００８】
【発明が解決しようとする課題】
しかしながら、上述のような従来技術では、回路搭載機器内の引回しの状況、温度等の環境の状況および機器の固体差などによって、ＥＭＩノイズのスペクトラムが、量産にあたって、設計値と必ずしも一致するとは限らないという問題がある。すなわち、設定された伝送のクロック周波数でＥＭＩノイズを確実に抑制できるとは限らないという問題がある。
【０００９】
本発明の目的は、ＥＭＩノイズを確実に抑制することができるクロック伝送装置およびそれを用いる画像形成装置を提供することである。
【００１０】
【課題を解決するための手段】
本発明のクロック伝送装置は、周波数ゆらぎのない第１のクロックを回路間で共通に使用するために該第１のクロックを伝送する装置において、送信側に設けられ、分周比可変の分周回路と、前記第１のクロックを前記分周回路で分周して得られた第２のクロックを伝送するクロック伝送路と、前記分周回路での分周比の情報を伝送する分周比情報伝送路と、受信側に設けられ、前記クロック伝送路からの第２のクロックを、前記分周比情報伝送路からの分周比の情報を用いて、前記第１のクロックに復元する逓倍回路とを含むことを特徴とする。
【００１１】
上記の構成によれば、回路間のタイミングを一致させるために引回されるクロックにＥＭＩノイズの対策を施すにあたって、画像形成装置のように前記回路間のタイミングを厳密に一致させる必要があり、周波数ゆらぎが生じるスペクトラム拡散によるＥＭＩノイズ抑制の手法を使用することができない用途において、送信側からは前記クロックを分周回路で分周して伝送し、受信側では前記クロックを逓倍回路で復元することで、クロック伝送路を伝送するクロックの周波数を低下し、該クロック伝送路での前記ＥＭＩノイズを抑制する。
【００１２】
そして、前記分周回路における分周比を可変にし、その分周比の情報を分周比情報伝送路を介して伝送する。したがって、回路搭載機器内の引回しの状況や温度等の環境の状況などによって、前記クロック伝送路から放出されるＥＭＩノイズのスペクトラムが設計値と異なっていても、実際に回路間を接続してクロックを伝送した状態で前記クロック伝送路のＥＭＩノイズレベルを測定し、好ましいスペクトラムとなるように前記分周比を調整することで、前記ＥＭＩノイズを確実に抑制することができる。
【００１３】
また、前記分周比を任意に調整しても、その分周比の情報は分周比情報伝送路を介して各逓倍回路に伝送されるので、該逓倍回路への設定を不要にすることができる。これによって、１つの送信回路から多数の受信回路へクロックを伝送するにあたって、前記分周比の調整を容易に行うことができる。
【００１４】
また、本発明のクロック伝送装置では、前記分周比は、２の階乗単位で設定されることを特徴とする。
【００１５】
上記の構成によれば、矩形波のクロックの高調波成分は奇数次に現れるので、分周して得られた第２のクロックの高調波成分は基本波の第１のクロックとは異なる周波数となり、ＥＭＩノイズのスペクトラムを拡散することができる。
【００１６】
さらにまた、本発明のクロック伝送装置では、前記分周回路および逓倍回路における分周器は、前記２の階乗単位の分周比に段階的に切換え可能に構成されることを特徴とする。
【００１７】
上記の構成によれば、分周回路および逓倍回路における分周器を、バイナリカウンタだけで構成することができ、構成を簡略化することができる。
【００１８】
また、本発明のクロック伝送装置は、搭載機器の非動作中に、前記分周回路の分周比を変化する分周比設定回路をさらに備えることを特徴とする。
【００１９】
上記の構成によれば、該クロック伝送装置が搭載される機器が非動作中であることを判定すると、分周比設定回路は、分周回路の分周比を変化する。
【００２０】
したがって、第２のクロックに対して、前記スペクトラム拡散と同様の手法でＥＭＩノイズを抑制することができ、所定時間に亘る各周波数の電磁波の積算値で表されるＥＭＩノイズレベルを、各回路へ供給する第１のクロックの安定度を低下させることなく、抑制することができる。
【００２１】
さらにまた、本発明のクロック伝送装置は、複数の回路へ前記第１のクロックを伝送するにあたって、受信側回路を１または複数でグループ化し、送信側の分周回路は、各グループ毎に相互に異なる分周比の第２のクロックを送信することを特徴とする。
【００２２】
上記の構成によれば、前記第１のクロックを共用する回路全体のＥＭＩノイズレベルを低下することができる。また、各受信側の回路毎に、その環境に応じた最適な分周比を設定することができる。
【００２３】
また、本発明の画像形成装置は、上記の何れかのクロック伝送装置を用いることを特徴とする。
【００２４】
上記の構成によれば、画像形成装置は、ポリゴンミラーと画像読取り素子との間などのように、厳密にタイミングを一致させなければならず、ＥＭＩ対策にスペクトラム拡散の手法を用いることができない回路が搭載されており、したがって上記の手法がＥＭＩ対策に特に効果的である。
【００２５】
【発明の実施の形態】
本発明の実施の第１の形態について、図１に基づいて説明すれば、以下のとおりである。
【００２６】
図１は、本発明の実施の第１の形態のクロック伝送装置１の電気的構成を示すブロック図である。このクロック伝送装置１は、前記ポリゴンミラーとＣＣＤとの間などのように、タイミングを厳密に一致させる必要のある画像形成装置の各部のデバイス１１，２１間に、クロック発振回路１２で発生された周波数ゆらぎのないクロックＣＬＫ１を共用するために用いられる。
【００２７】
送信側となる前記デバイス１１側では、前記クロック発振回路１２で発生されたクロックＣＬＫ１は、バッファ１３を介して直接前記デバイス１１に供給される。また、前記クロックＣＬＫ１は、分周器１４において分周比ＮでクロックＣＬＫ２に分周された後、送信バッファ１５からクロック伝送路１６へ出力される。
【００２８】
これに対応して、受信側は、大略的に、前記デバイス２１と、前記クロックＣＬＫ２からクロックＣＬＫ１を復元する逓倍回路２２とを備えて構成されている。逓倍回路２２は、ＶＣＯ（電圧制御型発振器）２３と、分周器２４と、位相比較器２５と、ループフィルタ２６とを備えて構成される通常のフェイズロックループ回路の構成である。前記ＶＣＯで発生されたクロックＣＬＫ１は、分周器２４において前記分周比Ｎで分周されて位相比較器２５に与えられる。位相比較器２５は、受信バッファ２７を介して入力される前記クロック伝送路１６からのクロックＣＬＫ２と、前記分周器２４で分周された前記クロックＣＬＫ１の分周信号とを相互に比較し、それらの位相差に対応した誤差信号を前記ループフィルタ２６へ出力する。ループフィルタ２６は、前記位相比較器２５からの誤差信号を直流電圧に平滑化して前記ＶＣＯ２３に与える。
【００２９】
したがって、前記ＶＣＯ２３からの復元されたクロックＣＬＫ１は、クロック伝送路１６からのクロックＣＬＫ２のＮ倍の周波数で、かつ該クロックＣＬＫ２と位相が同期した信号となり、これによって前記クロック発振回路１２で発生されたクロックＣＬＫ１と同じ周波数で、位相が同期した信号となる（実際には、クロック伝送路１６や分周器１４，２４の遅延を補償して、クロック発振回路１２の出力とＶＣＯ２３の出力との位相を完全に一致させることは困難であるけれども、両者の変動をＰＬＬによって規制して周波数を一致させることだけでも、多くの場合、クロックを伝送する目的は達せられる）。こうして、クロック伝送路１６を介するクロックＣＬＫ２の周波数を低下し、ＥＭＩノイズを抑制することができる。この逓倍回路２２で復元された前記クロックＣＬＫ１は、バッファ２８を介して前記デバイス２１に供給される。
【００３０】
注目すべきは、本発明では、前記分周器１４，２４の分周比Ｎが可変に構成されており、分周器１４での分周比Ｎの情報は送信バッファ１７から分周比情報伝送路１８へ出力され、受信バッファ２９で受信されたその分周比Ｎの情報は前記分周器２４に設定されることである。送信側の分周器１４に関して、前記分周比Ｎを設定するための設定回路１９が設けられており、分周器１４は設定された分周比Ｎで分周を行うとともに、その分周比Ｎの情報を前記分周比情報伝送路１８を介して分周器２４に伝送し、受信側でも同じ分周比Ｎを使用するようになっている。
【００３１】
前記設定回路１９からは、実際のＥＭＩノイズのスペクトラムを測定しつつ、最も好ましいスペクトラムとなるように、前記分周比Ｎが調整される。したがって、回路搭載機器内の引回しの状況や温度等の環境の状況などによって、前記クロック伝送路１６から放出されるＥＭＩノイズのスペクトラムが設計値と異なっていても、該ＥＭＩノイズを確実に抑制することができる。
【００３２】
また、前記分周比Ｎを任意に調整しても、その分周比Ｎの情報は分周比情報伝送路１８を介して逓倍回路２２に伝送されるので、該逓倍回路２２への設定を不要にすることができる。これによって、１つの送信回路から多数の受信回路へ共通のクロックＣＬＫ１を伝送するにあたって、前記分周比Ｎの調整を容易に行うことができる。
【００３３】
なお、クロックＣＬＫ１は、送信側と受信側との各部のデバイス１１，２１のクロック周波数の違いに対応して、同一の周波数でなくてもよく、一方の周波数が他方の周波数の所定倍で、かつ位相が一致して（あるいは位相差の変動が抑えられて）いればよい。
【００３４】
本発明の実施の第２の形態について、図２に基づいて説明すれば、以下のとおりである。
【００３５】
図２は、本発明の実施の第２の形態のクロック伝送装置３１の電気的構成を示すブロック図である。このクロック伝送装置３１は、上述のクロック伝送装置１に類似し、対応する部分には同一の参照符号を付して、その説明を省略する。注目すべきは、このクロック伝送装置３１では、送信側の分周器３２および受信側の逓倍回路３３の分周器３４の分周比Ｎが、２の階乗単位で設定されることである。
【００３６】
したがって、前記クロック伝送路１６を伝送される矩形波のクロックＣＬＫ２ａの高調波成分は奇数次に現れることから、このように構成することによって、該クロックＣＬＫ２ａの高調波成分を基本波であるクロックＣＬＫ１の周波数とは異なる周波数とし、ＥＭＩノイズのスペクトラムを拡散することができる。
【００３７】
本発明の実施の第３の形態について、図３に基づいて説明すれば、以下のとおりである。
【００３８】
図３は、本発明の実施の第３の形態のクロック伝送装置４１の電気的構成を示すブロック図である。このクロック伝送装置４１は、上述のクロック伝送装置３１に類似し、対応する部分には同一の参照符号を付して、その説明を省略する。注目すべきは、このクロック伝送装置４１では、送信側の分周器４２および受信側の逓倍回路４３の分周器４４がバイナリカウンタで構成され、これに対応して、前記バイナリカウンタの各タップから取出された分周信号を選択するためのセレクタ４５，４６が設けられることである。
【００３９】
前記セレクタ４５は、前記分周器４２のバイナリカウンタの各タップから取出された分周信号を、設定回路４９によって設定された分周比Ｎに応答して、択一的に選択して前記クロックＣＬＫ２ａとして出力する。前記設定回路４９からの分周比Ｎの情報はまた、前記送信バッファ１７、分周比情報伝送路１８および受信バッファ２９を介してセレクタ４６に伝送され、該セレクタ４６は分周器４４のバイナリカウンタの各タップから取出された分周信号を択一的に選択して前記位相比較器２５へ与える。
【００４０】
したがって、前記分周器３２，３４と同様に、分周器４２，４４の分周比Ｎが２の階乗単位で設定されるとともに、該分周器４２，４４をバイナリカウンタだけで構成することができ、構成を簡略化することができる。
【００４１】
本発明の実施の第４の形態について、図４に基づいて説明すれば、以下のとおりである。
【００４２】
図４は、本発明の実施の第４の形態のクロック伝送装置５１の電気的構成を示すブロック図である。このクロック伝送装置５１は、上述のクロック伝送装置４１に類似し、対応する部分には同一の参照符号を付して、その説明を省略する。注目すべきは、このクロック伝送装置５１では、受信側のデバイス５２は、逓倍回路５３からのクロックＣＬＫ１を用いて動作を行うとともに、その動作／非動作を表す信号を設定回路５９に伝送し、設定回路５９は、前記デバイス５２が非動作中であることを判定すると、分周比Ｎを変更して前記クロックＣＬＫ２ａの周波数を変更することである。
【００４３】
前記デバイス５２からの動作／非動作を表すイネーブル信号を伝送するために、送信バッファ５６、イネーブル信号伝送路５７および受信バッファ５８が設けられるとともに、逓倍回路５３内の位相比較器５５は、前記イネーブル信号に応答して、周波数の変更中は、位相比較動作を停止する。
【００４４】
したがって、前記クロック伝送路１６におけるクロックＣＬＫ２ａに対して、前述のスペクトラム拡散と同様の手法でＥＭＩノイズを抑制することができ、所定時間に亘る各周波数の電磁波の積算値で表されるＥＭＩノイズレベルを、デバイス５２へ供給するクロックＣＬＫ１の安定度を低下させることなく、抑制することができる。
【００４５】
本発明の実施の第５の形態について、図５に基づいて説明すれば、以下のとおりである。
【００４６】
図５は、本発明の実施の第５の形態のクロック伝送装置６１の電気的構成を示すブロック図である。このクロック伝送装置６１は、前述のクロック伝送装置４１に類似している。注目すべきは、このクロック伝送装置６１では、受信側回路を１または複数でグループ化しており、それらの各回路へ相互に異なるクロックを伝送することである。なお、図６では、図面の簡略化のために２つのグループで、各グループに受信側回路６２を１つ設け、それぞれに対応する構成には、同一の参照符号に、添字ａ，ｂを付して示している。
【００４７】
したがって、送信側の分周器４２のバイナリカウンタの各タップから取出された分周信号はセレクタ４５ａ，４５ｂに共通に与えられ、セレクタ４５ａ，４５ｂは、設定回路６９で設定された相互に異なる分周比Ｎに対応して前記分周信号を選択し、クロックＣＬＫ２ａ，ＣＬＫ２ｂとして出力する。前記クロックＣＬＫ２ａ，ＣＬＫ２ｂは、送信バッファ１５ａ，１５ｂ、クロック伝送路１６ａ，１６ｂおよび受信バッファ２７ａ，２７ｂを介して逓倍回路４３ａ，４３ｂに与えられる。また、前記設定回路６９での分周比Ｎの情報は、送信バッファ１７ａ，１７ｂ、分周比情報伝送路１８ａ，１８ｂおよび受信バッファ２９ａ，２９ｂを介して前記逓倍回路４３ａ，４３ｂに与えられる。
【００４８】
こうして、前記逓倍回路４３ａ，４３ｂではクロックＣＬＫ１ａ，ＣＬＫ１ｂが復元され、デバイス２１ａ，２１ｂに供給される。前記クロックＣＬＫ１ａ，ＣＬＫ１ｂの周波数は、同一であってもよく、または前述のように相互に異なっていてもよく、前記デバイス１１；２１ａ，２１ｂ間のタイミングを一致させるために、位相が相互に一致して（あるいは位相差の変動が抑えられて）いればよい。
【００４９】
このように構成することによって、クロックＣＬＫ１を共用する回路全体のＥＭＩノイズレベルを低下することができる。また、各受信側の回路６２ａ，６２ｂ毎に、その環境に応じた最適な分周比を設定することができる。
【００５０】
本発明のクロック伝送装置１，３１，４１，５１，６１は、前述のようにクロックＣＬＫ１を共用するにあたって、該クロックＣＬＫ１のタイミングを厳密に一致させなければならず、ＥＭＩ対策にスペクトラム拡散の手法を用いることができない画像形成装置に対して、特に効果的である。
【００５１】
【発明の効果】
本発明のクロック伝送装置は、以上のように、回路間のタイミングを一致させるために引回されるクロックにＥＭＩノイズの対策を施すにあたって、画像形成装置のように前記回路間のタイミングを厳密に一致させる必要があり、周波数ゆらぎが生じるスペクトラム拡散による手法を使用することができない用途において、送信側からは前記クロックを分周して伝送し、受信側で逓倍して復元するとともに、前記分周比を可変にし、その分周比の情報も伝送する。
【００５２】
それゆえ、クロック伝送路を伝送されるクロックの周波数を低下し、該クロック伝送路での前記ＥＭＩノイズを抑制することができるとともに、回路搭載機器内の引回しの状況や温度等の環境の状況などによって、前記クロック伝送路から放出されるＥＭＩノイズのスペクトラムが設計値と異なっていても、実際に回路間を接続してクロックを伝送した状態で前記クロック伝送路のＥＭＩノイズレベルを測定し、好ましいスペクトラムとなるように前記分周比を調整することで、前記ＥＭＩノイズを確実に抑制することができる。
【００５３】
また、前記分周比を任意に調整しても、その分周比の情報は分周比情報伝送路を介して各逓倍回路に伝送されるので、該逓倍回路への設定を不要にすることができる。これによって、１つの送信回路から多数の受信回路へクロックを伝送するにあたって、前記分周比の調整を容易に行うことができる。
【００５４】
また、本発明のクロック伝送装置は、以上のように、前記分周比を２の階乗単位で設定する。
【００５５】
それゆえ、矩形波のクロックの高調波成分は奇数次に現れるので、分周して得られたクロックの高調波成分は基本波のクロックとは異なる周波数となり、ＥＭＩノイズのスペクトラムを拡散することができる。
【００５６】
さらにまた、本発明のクロック伝送装置は、以上のように、分周器を、前記２の階乗単位の分周比に段階的に切換え可能に構成する。
【００５７】
それゆえ、分周回路および逓倍回路における分周器を、バイナリカウンタだけで構成することができ、構成を簡略化することができる。
【００５８】
また、本発明のクロック伝送装置は、以上のように、搭載機器の非動作中に、前記分周比を変化する。
【００５９】
それゆえ、伝送されるクロックに対して、前記スペクトラム拡散と同様の手法でＥＭＩノイズを抑制することができ、所定時間に亘る各周波数の電磁波の積算値で表されるＥＭＩノイズレベルを、各回路へ供給する基本波のクロックの安定度を低下させることなく、抑制することができる。
【００６０】
さらにまた、本発明のクロック伝送装置は、以上のように、複数の回路へクロックを伝送するにあたって、受信側回路を１または複数でグループ化し、送信側の分周回路は、各グループ毎に相互に異なる分周比のクロックを送信する。
【００６１】
それゆえ、前記クロックを共用する回路全体のＥＭＩノイズレベルを低下することができる。また、各受信側の回路毎に、その環境に応じた最適な分周比を設定することができる。
【００６２】
また、本発明の画像形成装置は、以上のように、上記の何れかのクロック伝送装置を用いる。
【００６３】
それゆえ、画像形成装置には、ポリゴンミラーと画像読取り素子との間などのように、厳密にタイミングを一致させなければならず、ＥＭＩ対策にスペクトラム拡散の手法を用いることができない回路が搭載されており、特に効果的である。
【図面の簡単な説明】
【図１】本発明の実施の第１の形態のクロック伝送装置の電気的構成を示すブロック図である。
【図２】本発明の実施の第２の形態のクロック伝送装置の電気的構成を示すブロック図である。
【図３】本発明の実施の第３の形態のクロック伝送装置の電気的構成を示すブロック図である。
【図４】本発明の実施の第４の形態のクロック伝送装置の電気的構成を示すブロック図である。
【図５】本発明の実施の第５の形態のクロック伝送装置の電気的構成を示すブロック図である。
【符号の説明】
１，３１，４１，５１，６１    クロック伝送装置
１１，２１，２１ａ，２１ｂ，５２    デバイス
１２    クロック発振回路
１３，２８，２８ａ，２８ｂ    バッファ
１４，２４，３２，３４，４２，４４    分周器
１５，１５ａ，１５ｂ，１７，１７ａ，１７ｂ，５６    送信バッファ
１６，１６ａ，１６ｂ    クロック伝送路
１８，１８ａ，１８ｂ    分周比情報伝送路
１９，４９，５９，６９    設定回路
２２，３３，４３，４３ａ，４３ｂ，５３    逓倍回路
２３    ＶＣＯ
２５，５５    位相比較器
２６    ループフィルタ
２７，２７ａ，２７ｂ，２９，２９ａ，２９ｂ，５８    受信バッファ
４５，４６，４５ａ，４５ｂ    セレクタ
５７    イネーブル信号伝送路
６２ａ，６２ｂ    受信側回路
ＣＬＫ１    クロック（第１のクロック）
ＣＬＫ２，ＣＬＫ２ａ，ＣＬＫ２ｂ    クロック（第２のクロック）
【図１】
0004037138.tif 000002
【図２】
0004037138.tif 000003
【図３】
0004037138.tif 000004
【図４】
0004037138.tif 000005
【図５】
0004037138.tif 000006